(57)【要約】【課題】  男性性器から排泄した尿を外部に漏出させることなく確実に吸収、保持することができると共に排尿量が多量の場合にはパンツの股部の内面に装着している吸水パッドに吸収させることができる男性性器受入れパッドを備えた失禁用パンツを提供する。【解決手段】  パンツ本体１の股部４の内面に吸水パッド11を装着してなる失禁用パンツにおいて、上端に大径の男性性器の挿入開口部13を有し、下端に小径の尿漏出口14を設けている円錐状筒体形状に形成された男性性器受入れパッド12を、上記尿漏出口14を上記吸水パッド11上に重ねた状態にしてパンツ本体１の内面に取り外し可能に装着してあり、排尿量が少量の場合には受入れパッド12に吸収させ、多量の場合にはこの受入れパッド12の上記尿漏出口14を通じて上記吸水パッド11に吸収させるように構成している。【選択図】  図３
2020025716.tif 000002
【特許請求の範囲】
【請求項１】
前見頃と後身頃と股部とを備えたパンツ本体の上記股部の内面に吸水パッドを装着してなる失禁用パンツにおいて、上端側に男性性器の挿入開口部を有し、下端に尿漏出口を設けている吸水部材を備えた男性性器受入れパッドを、少なくとも上記尿漏出口を上記吸水パッド上に重ねた状態にしてパンツ本体の内面に取り外し可能に装着していることを特徴とする失禁用パンツ。
【請求項２】
男性性器受入れパッドは、上端が大径で下端に向かって徐々に小径に形成している円錐状筒体形状に形成されてあり、大径の上端開口部を男性性器の挿入口に、小径の下端開口部を尿漏出口に形成していることを特徴とする請求項１に記載の失禁用パンツ。
【請求項３】
パンツ本体の股部の内面に装着している吸水パッドの前側上端部内面、又は、吸水パッドの前側上端部近傍の股部の内面に水平バンド片の両端部を取り付けてあり、この水平バンド片と吸水パッド又は股部との対向面間を上円錐状筒体形状に形成されている男性性器受入れパッドを取り外し可能に挿通、支持する男性性器受入れパッドの挟持孔に形成していることを特徴とする請求項１又は請求項２に記載の失禁用パンツ。
【請求項４】
パンツ本体の股部は、パンツ本体の後身頃の下端にその上端を連設した帯状布の上半部からなり、この帯状布の下半部を着用者の腹部を被覆する被覆部とこの被覆部の端部から折り返す折り返し部とに形成して、上記股部を着用者の股間に装着した際にこの前部から上方に延びる上記被覆部をパンツ本体の前身頃の内面に沿わせて腹部を被覆すると共に上記折り返し部を前身頃の上端縁に沿って下方に折り返して前身頃の外面を被覆するように構成してあり、さらに、上記被覆部に連なる股部に端部内面に水平バンド片を取り付けていることを特徴とする請求項１に記載の失禁用パンツ。
【請求項５】
パンツ本体は不織布からなることを特徴とする請求項１に記載の失禁用パンツ。
【発明の詳細な説明】
【技術分野】
【０００１】
本発明は、パンツ本体の股部の内面に吸水パッドを装着してなる失禁用パンツ、特に、男性用として好適に着用して、失禁による排尿時に尿漏れを効果的に防止しながら吸水パッドに吸収させることができる失禁用パンツに関する。
【背景技術】
【０００２】
従来から、失禁用パンツとしては、例えば、特許文献１に記載されているように、前身頃と後身頃と股部とで構成され、股部の内面に吸水パッドを装着してなる構造のものが広く知られている。
【０００３】
また、特許文献２には、前身頃と後身頃とからなる腰回り部における後身頃の下端に股部を形成するための帯状部を連設していると共にこの帯状部の内面側をメッシュ布によって形成し、外面側を防水性布によって形成してこれのメッシュ布と防水性布との間に吸水パッドを挿脱自在に収納してなり、使用時には、着用者の腰部に腰回り部を装着したのち、上記帯状部を着用者の股部に沿って当てがって、その先端部を腰回り部における前身頃の前面に重ね合わせ、ファスナー等によって連結するように構成した失禁用パンツが記載さている。
【０００４】
一方、特許文献３には男性用の尿吸収袋体が記載されている。この尿吸収袋体は、内面を透水性シートによって形成し、外面を防水性シートによって形成していると共にこれらのシート間に吸水部材を設け、且つ、上端部に男性性器挿入孔を設けてなるもので、使用時には、袋体の上端部に設けている上記男性性器挿入孔に男性性器を挿入すると共にこの袋体を使い捨ておむつ等によって押えて保持した状態にし、失禁等によって排泄された尿を袋体の吸水部材に吸収させるように構成している。
【先行技術文献】
【特許文献】
【０００５】
【特許文献１】特開２００４−１０５４８５号公報
【特許文献２】実公平４−２０４１８号公報
【特許文献３】特開２０１１−３０９６２号公報
【発明の概要】
【発明が解決しようとする課題】
【０００６】
しかしながら、上記特許文献１、２に記載された失禁用パンツによれば、要介護者等の着用者の身体表面に適切にフィットさせることが困難であり、男性性器と吸水パッドとの間に隙間が生じてしまって失禁等による排尿が吸水パッドに吸収されずに肌に付着して不快感を与えると共に、肌を伝って外部に漏れだす虞れがあるといった問題があった。
【０００７】
さらに、前立腺に障害のある男性においては、排尿量が少量の失禁が頻繁に行われる事態が発生するが、その都度、多量の尿を吸収可能な吸水パッドを取り替えたり、或いは、パンツ全体を取り替えることは極めて不経済であり、また、その取り替え作業が煩わしいといった問題点が生じる。
【０００８】
なお、上記特許文献２に記載の失禁用パンツによれば、パンツの後身頃の下端に連なっている帯状部を股間を通して腹部側に引出し、帯状部の先端部をパンツの前身頃の前面にファスナー等によって着脱自在に連結することによってパンツの股部を形成するように構成しているので、股部のみの着脱によって吸水パッドの取り替えが容易に行える利点を有する反面、股部の上端部が前身頃から外れてしまうといった問題点がある。
【０００９】
一方、特許文献３に記載の尿吸収袋体によれば、失禁等によって排泄された尿を肌に付着させることなく袋体内に受け入れて吸水部材に吸収させることができるが、尿吸収袋体によって吸収できる尿量は比較的少量であるため、多量の尿が排泄された場合に、吸収しきれずに袋外に漏出する虞れがある。
【００１０】
また、尿吸収袋体は、使い捨ておむつ等による押え力によって男性性器に対する取付状態を保持されているため、身体を動かした場合に、尿吸収袋体が使い捨ておむつ等との摺擦力によって位置ズレが発生したり、さらには、使い捨ておむつ等による押え力が低下して男性性器から外れてしまうといった問題点があった。
【００１１】
本発明はこのような問題点に鑑みてなされたもので、その目的とするところは、男性性器に対して位置ズレや離脱等を生じさせることなくパンツ本体に装着することができると共に排泄した尿を外部に漏出させることなく確実に吸収、保持することができ、且つ、尿の排泄量が多量の場合にはパンツ本体の股部の内面に設けている吸水パッド側に吸収させることができる男性性器受入れパッドを備えた失禁用パンツを提供するにある。
【課題を解決するための手段】
【００１２】
上記目的を達成するために本発明の失禁用パンツは、請求項１に記載したように、前見頃と後身頃と股部とを備えたパンツ本体の上記股部の内面に吸水パッドを装着してなる失禁用パンツにおいて、上端に男性性器の挿入開口部を有し、下端に尿漏出口を設けている吸水部材を備えた男性性器受入れパッドを、少なくとも上記尿漏出口を上記吸水パッド上に重ねた状態にしてパンツ本体の内面に取り外し可能に装着していることを特徴とする。  
【００１３】
このように構成した失禁用パンツにおいて、請求項２に係る発明は、男性性器受入れパッドは、上端が大径で下端に向かって徐々に小径に形成している円錐状筒体形状に形成されてあり、大径の上端開口部を男性性器の挿入口に、小径の下端開口部を尿漏出口に形成していることを特徴とする。
【００１４】
請求項３に係る発明は、パンツ本体の股部の内面に装着している吸水パッドの前側上端部内面、又は、吸水パッドの前側上端部近傍の股部の内面に水平バンド片の両端部を取り付けてあり、この水平バンド片と吸水パッド又は股部との対向面間を上記円錐状筒体形状に形成されている男性性器受入れパッドを取り外し可能に挿通、支持する男性性器受入れパッドの挟持孔に形成していることを特徴とする。
【００１５】
請求項４に係る発明は、上記パンツ本体の股部は、パンツ本体の後身頃の下端にその上端を連設した帯状布の上半部からなり、この帯状布の下半部を着用者の腹部を被覆する被覆部とこの被覆部の端部から折り返す折り返し部とに形成して、上記股部を着用者の股間に装着した際にこの前部から上方に延びる上記被覆部をパンツ本体の前身頃の内面に沿わせて腹部を被覆すると共に上記折り返し部を前身頃の上端縁に沿って下方に折り返して前身頃の外面を被覆するように構成してあり、さらに、上記被覆部に連なる股部に端部内面に水平バンド片を取り付けていることを特徴とする。
【００１６】
請求項５に係る発明は、パンツ本体は不織布からなることを特徴とする。
【発明の効果】
【００１７】
請求項１に係る発明によれば、パンツ本体の股部の内面に吸水パッドを装着してなる失禁用パンツにおいて、上端に男性性器の挿入開口部を有し、下端に尿漏出口を設けた吸水部材からなる男性性器受入れパッドを、少なくともその尿漏出口を上記パンツ本体の股部の内面側に装着している上記吸水パッド上に重ねた状態にしてパンツ本体の内面に取り外し可能に装着しているので、着用時に男性性器を受入れパッドに挿入することによって、この男性性器受入れパッドの下端の尿漏出口を吸水パッドの端部上に確実に位置させた状態にして着用することができる。
【００１８】
さらに、失禁による排尿時には、着用者の肌側に漏出させることなく尿を男性性器受入れパッドに吸収させることができる。この際、排尿量が僅かであれば、受入れパッドの下端に設けている尿漏出口から吸水パッド側に排尿することなく受入れパッドのみに吸収させることができ、従って、少量の失禁が頻繁に行われても吸水パッドを取り替えることなく受入れパッドのみを取り替えればよいので、経済的な失禁用パンツを提供することができる。
【００１９】
また、男性性器受入れパッドの吸収能力を超える多量の排尿が生じた場合には、男性性器受入れパッドの下端に設けている尿排出口から股間に装着している吸水パッドに漏出させて吸水パッドに吸収させることができる。
【００２０】
請求項２に係る発明によれば、上記男性性器受入れパッドは、上端が大径で下端に向かって徐々に小径の円錐筒体形状に形成されてあり、この受入れパッドの大径の上端開口部を男性性器の挿入口に、小径の下端開口部を尿漏出口に形成しているので、着用時には大径に形成している上端挿入口から受入れパッド内への男性性器の挿入が簡単且つ確実に行えると共に、排尿が少量の場合には、下端の小径尿漏出口から吸水パッド側に排尿させることなく受入れパッド内に吸収させることができる。
【００２１】
請求項３に係る発明によれば、パンツ本体の股部の内面に装着している吸水パッドの前側上端部内面、又は、吸水パッドの前側上端部近傍の股部の内面に水平バンド片の両端部を取り付けてあり、この水平バンド片と吸水パッド又は股部との対向面間を上記円錐状筒体形状の男性性器受入れパッドを取り外し可能に挿通、支持する男性性器受入れパッドの挟持孔に形成しているので、水平バンド片とパンツ本体との対向面間で形成してる上記挟持孔に対する男性性器受入れパッドの挿脱が簡単に行うことができてこの受入れパッドの交換作業が容易であると共に、受入れパッドを上記挟持孔に挿入することによってこの受入れパッドの下端尿漏出口を吸水パッドの端部の所定部位上に位置させた状態に、且つ、水平バンド片によって受入れパッドがパンツ本体から外れるのを阻止された状態に保持しておくことができる。
【００２２】
請求項４に係る発明によれば、パンツ本体の股部は、後身頃の下端に連設した帯状布の上半部によって形成してあり、この帯状布の下半部を着用者の腹部を被覆する被覆部と、この被覆部の端部から折り返す折り返し部とに形成しているので、パンツ本体を着用した状態で股部を着用者の股部から外すことができ、従って、男性性器受入れパッドの取り付け作業や交換作業が簡単に行える。
【００２３】
さらに、着用時には、股部を着用者の股間に当てがったのち、この股部に連設した被覆部と折り返し部を上方に延ばして被覆部により腹部を被覆し、折り返し部をパンツ本体の前身頃の上端縁から前身頃の外面を被覆するように折り返すことによって股部の内面に装着している吸水パッドを着用者の股間に良好にフィットさせることができると共に、上端が前身頃の上端縁に沿って折り返し係止した折り返し部によって股部が着用者の股間から不測に外れるのを強固に阻止して、失禁した際の排尿を男性性器受入れパッドや上記吸水パッドに確実に吸収させることができる。
【００２４】
なお、請求項５に記載したように、パンツ本体を不織布から形成しておけば、使い捨て失禁用パンツとして使用することができる。特徴とする。
【図面の簡単な説明】
【００２５】
【図１】本発明失禁用パンツの正面図。
【図２】その中央縦断拡大側面部
【図３】図２における要部の拡大縦断側面図。
【図４】失禁用パンツの展開図。
【図５】失禁用パンツを形成している状態の正面図。
【図６】本発明失禁用パンツの別な実施例を示す正面図。
【図７】その中央縦断拡大側面部
【図８】図７における要部の拡大縦断側面図。
【発明を実施するための形態】
【００２６】
本発明の具体的な実施例を図面に基づいて説明すると、図１〜図３において、パンツ本体１は前身頃２と後身頃３と股部４とを備えてなり、前身頃２と後身頃３とによって着用者のウエスト部を被覆する筒状のウエスト被覆部を形成してあり、このウエスト被覆部の上端に穿き口であるウエスト開口部５を設けていると共に、上記股部４の両側に脚口６、６を設けている。
【００２７】
上記パンツ本体１における股部４は、断面Ｕ字状に湾曲していてその後側上端を上記後身頃３の下端に連設している一方、前側上端はこの実施例においては前身頃２の下端に連設させることなく、股部４の前側上端に着用者の腹部を被覆する一定長さの被覆部７を介して一定長さの折り返し部８を設けておき、上記被覆部７をパンツ本体１の下端から前身頃２の内面に沿って配設することにより着用者の腹部を被覆すると共に、この被覆部７の上端に連設している折り返し部８の下端を前身頃２の上端縁上で折り返して前身頃２の前面（外面）を覆うように垂設させることによって股部４の下端内面にその上端を重ね合わせた状態にして股部４を形成している。
【００２８】
さらに、上記股部４の前側上端部外面と折り返し部８の下端部内面とに互いに係脱する雌雄面ファスナー９、10を取り付けている。
【００２９】
なお、上記ウエスト開口部５にはゴムテープ等の弾性伸縮帯が設けられている。また、上記パンツ本体１は、不織布によって形成されていて使い捨てパンツとしているが、使い捨てではなく不織布以外の布地によって形成しておいてもよい。
【００３０】
上記のように構成したパンツ本体１において、上記股部４の内面には吸水パッド11が装着されている。この吸水パッド11は、表裏面がそれぞれ長方形状の透水性シート11a と長方形状の非透水性シート11b からなる偏平状袋体内に吸水部材11c を収納してなり、その長さ方向を股部４の湾曲方向に向けると共に非透水性シート11b を股部４の内面に密接させた状態にして股部４に装着されている。なお、パンツ本体１は使い捨てパンツである場合には、この吸水パッド11は股部４の内面に縫着することにより取り替え不能に装着されている。
【００３１】
さらに、パンツ本体１の前側内面、具体的には股部４の前側上端部内面に男性性器受入れパッド12を取り外し可能に装着している。
【００３２】
この男性性器受入れパッド12は上端から下端に向かって徐々に縮径した円錐状筒体形状に形成されてあり、上端の大径開口部を男性性器挿入開口部13に形成していると共に下端の小径開口部を尿漏出口14に形成している。なお、この男性性器受入れパッド12は、その内周面を透水性シート12a によって形成し、外周面を非透水性シート12b によって形成してあり、これらの透水性シート12a と非透水性シート12b との間に吸水部材12c を収納している。
【００３３】
男性性器受入れパッド12は図においては継目のない円錐状筒体形状に形成しているが、表裏面がそれぞれ透水性シート12a と非透水性シート12b からなる偏平な袋体内に吸水部材12c を収納してなる矩形状のパッド部材を円錐形状に丸めて重なり合う端部間を粘着テープ等によって固定することにより所定大きさの円錐状筒体形状に形成してもよい。
【００３４】
このように形成している男性性器受入れパッド12は、少なくともその尿漏出口14を上記パンツ本体１の股部４の内面に装着している上記吸水パッド11の前側の上端部内面に重ね合わせた状態にしてパンツ本体１の内面に取り外し可能に装着している。
【００３５】
男性性器受入れパッド12をパンツ本体１の内面に取り外し可能に装着する手段としては雌雄の面ファスナーによって行ってもよいが、面ファスナーでは男性性器受入れパッド12が不測にパンツ本体１から外れる虞れがあるので、図に示すように、吸水パッド11の前側上端部近傍の股部４の幅方向中央部の内面に水平バンド片15を設けてこの水平バンド片15の両端部を股部４に縫着、固定することにより、水平バンド片15と股部４との対向面間を男性性器受入れパッド12を挿通した状態で支持する挟持孔16に形成している。
【００３６】
なお、吸水パッド11の長さが長くて、その前側上端部が股部４の上端にまで達している場合には、上記水平バンド片15をこの吸水パッド11の前側上端部の内面にその両端部を縫着した状態で配設し、この吸水パッド11と水平バンド片15との対向面股部４で挟持孔16を形成するように構成しておいてもよい。
【００３７】
上記挟持孔16の大きさは、この挟持孔16内に上方から上記円錐状筒体形状の男性性器受入れパッド12をその下端尿漏出口14側から挿通させた際に、男性性器受入れパッド12の上部外周面をこの挟持孔16の内周面に係止状態に圧着してそれ以上の挿入が行えない状態となる大きさに形成されている。
【００３８】
図４は上記のように構成した失禁用パンツの展開図であって、パンツ本体１の後身頃３の下端に、一定長さの展開した股部４と被覆部７と折り返し部８とを設けている帯状布の上端部を連設している。詳しくはこの帯状布の上半部によってパンツ本体１の股部４を形成するようにし、この股部４の下端に連らなる帯状布の下半部をパンツ着用者の腹部を被覆する被覆部７と上端がこの被覆部の下端に連設している折り返し部８とに形成している。さらに、被覆部７に連なる展開状態の上記股部４の下端部には上記水平バンド片15が取り付けられている。
【００３９】
なお、上記展開した状態の股部４の両側端縁は円弧状に股ぐりされていてこの股部４をＵ字状に屈曲させた際に、この両側の股ぐりによって脚口６、６を形成するように構成している。
【００４０】
このように構成したので、要介護者等に上記失禁用パンツを着用させるには、まず、パンツ本体１を着用したのち、パンツ本体１の後身頃３から垂下したいる股部４をＵ字状に変形させながら臀部側から股間に介在させて吸水パッド11を股の皮膚面に当てがうと共に股部４の両側股ぐりによって脚口６、６を形成したのち、折り返し部８を上方に引き延ばすようにしてパンツ本体１の前身頃２の内面に挿入し、さらに、この折り返し部８を図５に示すようにパンツ本体１の前身頃２の上端から上方に引き出して折り返し部８に連なる上記被覆部７を前身頃２の内面に重ね合わせ、この被覆部７によって腹部を被覆すると共に、折り返し部８と被覆部７との連設部分を前身頃２の上端縁に沿って下方に折り返して折り返し部８を前身頃２の上端から垂下させ、雌雄面ファスナー９、10を係合させることによって折り返し部８を固定する。
【００４１】
一方、股部４の前側上端部内面に取り付けている水平バンド片15と股部４との対向面によって形成している挟持孔16に男性性器受入れパッド12をその下端の尿漏出口14側から挿通してこの男性性器受入れパッド12の上部を挟持孔16に支持させた状態にしたのち、要介護者等の着用者の男性性器をこの受入れパッド12の上端開口部13から受入れパッド12内に挿入した状態にする。
【００４２】
なお、上記挟持孔16に対する男性性器受入れパッド12の取り付けは予め行っておいてもよく、或いは、パンツの着用後に、前身頃２を前方に拡げてこの前身頃２の内面と腹部との間の空間部を通じて男性性器受入れパッド12を挟持孔16に挿通、支持させるようにしてもよい。
【００４３】
このように、失禁用パンツを着用し、寝たきりの要介護者等が失禁すると、尿が円錐状筒体形状の男性性器受入れパッド12内に排泄され、この受入れパッド12の吸収部材12c に吸収される。この際、排尿量が少ない場合には、排泄された尿が男性性器受入れパッド12の下端に設けている尿漏出口14から漏出することなく、受入れパッド12の吸収部材12c によって吸収、保持される一方、男性性器受入れパッド12の吸収能力を超える多量の排尿が生じた場合には、男性性器受入れパッド12の下端の上記尿漏出口14から股部の内面に装着している上記吸水パッド11の透水性シート11a 上に排出されて吸水パッド11に吸収、保持される。
【００４４】
なお、男性性器受入れパッド12の交換は、この男性性器受入れパッド12の上端部を把持して水平バンド片15と股部４との対向面間で形成している挟持孔16から上方に抜き取るようにして引き出せば、容易に行うことができる。
【００４５】
図６〜図８は本発明失禁用パンツの別な実施例を示すもので、上記実施例においては、股部４や被覆部７、折り返し部８を後身頃３の下端から垂下している帯状布によって形成しているが、この実施例においては、被覆部７や折り返し部８などを設けることなく、断面Ｕ字状に湾曲した股部4'の前側上端と後側上端を不織布等からなる前身頃２の下端と後身頃３の下端にそれそれ連設してパンツ本体1'を形成している。
【００４６】
このように構成したパンツ本体1'の股部4'の内面に、上記実施例と同様に、吸水パッド11を装着していると共に、股部4'の前側上端部内面に男性性器受入れパッド12を取り外し可能に装着している。この男性性器受入れパッド12の構造は、上記実施例の受入れパッドと同じであり、上端から下端に向かって徐々に縮径した円錐状筒体形状に形成されていて、上端の大径開口部を男性性器挿入開口部13に、下端の小径開口部を尿漏出口14に形成している。
【００４７】
男性性器受入れパッド12は、少なくともその尿漏出口14を上記パンツ本体1'の股部4'の内面に装着している上記吸水パッド11の前側の上端部内面に重ね合わせた状態にしてパンツ本体1'の内面に取り外し可能に装着している。
【００４８】
男性性器受入れパッド12をパンツ本体1'の内面に取り外し可能に装着する手段としてはパンツ本体1'の前身頃２の下端に連なった前身頃２の上端部内面に水平バンド片15を設けてこの水平バンド片15の両端部を股部4'に縫着、固定することにより、水平バンド片15と股部4'との対向面間に挟持孔16を形成し、この挟持孔16に男性性器受入れパッド12を挿通した状態で支持させるように構成している。その他の構成については、上記実施例と同様であるので、詳細な説明を省略する。
【００４９】
このように構成したので、要介護者等に上記失禁用パンツを着用させて股部4'の内面に装着している吸水パッド11を股間に当てがう一方、股部4'の前側上端部内面に取り付けている水平バンド片15と股部4'との対向面によって形成した挟持孔16に男性性器受入れパッド12をその下端の尿漏出口14側から挿通してこの男性性器受入れパッド12の上部を挟持孔16に支持させた状態にしたのち、要介護者等の着用者の男性性器をこの受入れパッド12の上端開口部13から受入れパッド12内に挿入した状態にする。
【００５０】
このように、失禁用パンツを着用し、寝たきりの要介護者等が失禁すると、尿が円錐状筒体形状の男性性器受入れパッド12内に排泄され、この受入れパッド12の吸収部材12c に吸収される。この際、排尿量が少ない場合には、上述したように、排泄された尿が男性性器受入れパッド12の下端に設けている尿漏出口14から漏出することなく、受入れパッド12の吸収部材12c によって吸収、保持される一方、男性性器受入れパッド12の吸収能力を超える多量の排尿が生じた場合には、男性性器受入れパッド12の下端の上記尿漏出口14から股部の内面に装着している上記吸水パッド11の透水性シート11a 上に排出されて吸水パッド11に吸収、保持される。
【符号の説明】
【００５１】
１  パンツ本体
２  前身頃
３  後身頃
４  股部
11  吸水パッド
12  男性性器受入れパッド
13  男性性器挿入開口部
14  尿漏出口
15  水平バンド片
16  挟持孔
【図１】
2020025716.tif 000003
【図２】
2020025716.tif 000004
【図３】
2020025716.tif 000005
【図４】
2020025716.tif 000006
【図５】
2020025716.tif 000007
【図６】
2020025716.tif 000008
【図７】
2020025716.tif 000009
【図８】
2020025716.tif 000010